(57)【要約】【課題】  重量物の荷重が着衣者の肩部や首部に影響を与えるのを避け、着衣者の作業中に、重量物が脱落するのを防げる重量物の収容ポケットを設けた上着衣を提供する。【解決手段】  前身頃１，後身頃２，両袖３，４に加え、脇身頃６を少なくとも片脇部に備えて首周りから胴回りに至る着衣本体を縫製し、脇身頃６は上辺縁を袖３のアームホールに沿う脇下縁３ｃに共縫いし、重量物の収容ポケット１４はポケット口を前身頃寄りの上向きで脇身頃６の面内に設けた。【選択図】    図１
2014132129.tif 000002
【特許請求の範囲】
【請求項１】
重量物の収容ポケットを設ける上着衣にであって、前身頃，後身頃，両袖に加え、脇身頃を少なくとも片脇部に備えて首周りから胴回りに至る着衣本体を縫製し、脇身頃は上辺縁を袖のアームホールに沿う脇下縁に共縫いし、重量物の収容ポケットはポケット口を前身頃寄りの上向きで脇身頃の面内に設けたことを特徴とする上着衣。
【請求項２】
ポケット口よりポケット全体が脇身頃の縦方向に対して前倒しの斜めに傾いた重量物の収容ポケットを脇身頃の面内に設けたことを特徴とする請求項１に記載の上着衣。
【発明の詳細な説明】
【技術分野】
【０００１】
本発明は、携帯電話機やスマートフォンのような重量物を収容所持するポケットを設ける上着衣に関するものである。
【背景技術】
【０００２】
従来、携帯電話機やスマートフォンのような重量物を収容所持するポケットを設ける上着衣としては、着衣本体の縦方向に対して重量物を斜め上向きに収容する胸ポケットを設けるものが提案されている（特許文献１）。
【０００３】
その胸ポケットでは、重量物の荷重をポケットの三辺に分散乃至は拡散することにより、重量物の荷重が肩部や首部に集中するのを避け、肩こり等の発生を防ぐものである。
【先行技術文献】
【特許文献】
【０００４】
【特許文献１】特開２０１１−１４０７３５
【発明の概要】
【発明が解決しようとする課題】
【０００５】
上述したポケットは、着衣本体の縦方向に対して重量物を斜め上向きに収容することにより、重量物の荷重を分散乃至は拡散するものであるが、着衣者の肩部から首部に近い胸ポケットとして設けられているため、重量物の荷重による影響を多かれ少なかれ受けるのを避けられない。
【０００６】
上述した上着衣を医療分野向けのユニフォームとして着用する場合、胸ポケットでは、着衣者が前屈みになった際に、重量物が脱落するおそれがある。これを避けるため、片端部をポケット口より内部に縫着し、他端部を雄雌の止め具で着脱自在にした帯状のタブを設けることが提案されている。
【０００７】
その帯状のタブを設けても、重量物の収容時には止め具が必ず適用されていることが要求されるばかりでなく、着衣者の作業中に偶然にも外れてしまうことが危惧される。
【０００８】
本発明は、重量物の荷重が着衣者の肩部や首部に影響を与えるのを避け、着衣者の作業中に、重量物が脱落するのを防げる重量物の収容ポケットを設けた上着衣を提供することを課題とする。
【０００９】
それに加えて、重量物の荷重を効果的に分散乃至は拡散できると共に、重量物の出し入れを容易に行える重量物の収容ポケットを設けた上着衣を提供することを課題とする。
【課題を解決するための手段】
【００１０】
本願の請求項１に係る発明は、重量物の収容ポケットを設ける上着衣に係り、前身頃，後身頃，両袖に加え、脇身頃を少なくとも片脇部に備えて首周りから胴回りに至る着衣本体を縫製し、脇身頃は上辺縁を袖のアームホールに沿う脇下縁に共縫いし、重量物の収容ポケットはポケット口を前身頃寄りの上向きで脇身頃の面内に設けたことを特徴とする。
【００１１】
本願の請求項２に係る発明は、ポケット口よりポケット全体が脇身頃の縦方向に対して前倒しの斜めに傾いた重量物の収容ポケットを脇身頃の面内に設けたことを特徴とする。
【発明の効果】
【００１２】
本願の請求項１に係る発明によれば、上辺縁を袖のアームホールに沿う脇下縁に共縫いした脇身頃を備え、重量物の収容ポケットを脇身頃の面内に設けたことにより、小さなショルダーバッグを肩に掛けたときと同様な重量物の荷重を鎖骨相当部上腕寄りで受けられるため、携帯電話機やスマートフォンのような重量物をポケット内に入れて長時間保持しても、肩こり等の発生を防げる。
【００１３】
それに加えて、ポケット口を前身頃寄りの上向きで脇身頃の面内に設けた重量物の収容ポケットにより、着衣者が前屈みになっても、脇身頃が前方向に大きく撓まない（姿勢変え）ため、重量物がポケットより脱落するのを確実に防げる。
【００１４】
本願の請求項２に係る発明によれば、ポケット口よりポケット全体が脇身頃の縦方向に対して前倒しの斜めに傾いた重量物の収容ポケットを脇身頃の面内に設けたことにより、重量物を斜め姿勢でポケット内に収容できるから、重量物の荷重を効果的に分散乃至は拡散できると共に、収容ポケットを脇身頃の面内に設けても、重量物の出し入れを容易に行える。
【図面の簡単な説明】
【００１５】
【図１】本発明に係る上着衣を前身頃側より示す説明図である。
【図２】図１の上着衣を後身頃側より示す説明図である。
【図３】図１の上着衣に設ける重量物の収容ポケットを含む脇身頃を示す説明図である。
【図４】図３の収容ポケットの縫着構造を示す説明図である。
【発明を実施するための形態】
【００１６】
図示実施の形態は、図１，図２で示すように医療分野向けに着用されるユニフォームを例示する。そのユニフォームは、前身頃１、後身頃２、両袖３，４、衿ぐり布５に加え、脇身頃６，７を前身頃１、後身頃２に亘る両脇部に備えて首周りから胴回りに至る着衣本体が縫製されている。
【００１７】
着衣本体を全体的に説明すると、図示実施の形態に係る着衣本体は右前身頃１ａと左前身頃１ｂにより、前開き式の羽織って着られるタイプに縫製されている。右前身頃１ａと左前身頃１ｂの合わせ目には、オープンスライドファスナー８が縫着されている。この羽織タイプにより、かぶりタイプものと比較すると、髪の乱れや化粧品の付着が生ぜず、脱ぎ着し易いところから好ましい。
【００１８】
オープンスライドファスナー８は、布テープに固定した複数の務歯８ａ，８ｂ、務歯８ａ，８ｂを噛合するスライダー８ｃ、蝶棒を抜差し自在に係止するホルダー８ｄを備えて上下方向直線状に縫い付けられている。オープンスライドファスナー８の上部側には、リングドット釦９が右前身頃１ａと左前身頃１ｂの合わせ目に分けて取り付けられている。
【００１９】
上述した以外に、着衣本体には胸ポケット１０、左右の腰ポケット１１，１２、角ネーム布１３が取り付けられている。
【００２０】
両袖３，４は、肩から首回りの一部に亘る肩部３ａ，４ａから袖口部３ｂ，４ｂに至る一枚ものにより形成されている。この一枚ものを前身頃１、後身頃２の上部側に縫着することから、アームホールを設けた両袖３，４が縫い付けられている。
【００２１】
脇身頃６，７は、前身頃１、後身頃２と異なる色の布地を用いると体裁上良好なものに仕立てられる。また、少なくとも後述する重量物の収容ポケットを設ける側にのみ縫い付けるようにもできるが、両脇部に縫い付ければ、着衣本体として全体的にバランスよく仕立てられる。
【００２２】
脇身頃６，７は、両側辺を前身頃１、後身頃２の各側辺と縫い合わすと共に、上辺縁を袖３，４のアームホールに沿う脇下縁３ａ，４ａに共縫いされている。各下端辺は、腰ポケット１１，１２の内側で前身頃１、後身頃２と同材質の布地と継ぎ合わせることにより腰ポケット１１，１２の内側にしまい込まれている。
【００２３】
重量物の収容ポケット１４は、正面に向かって右側の脇身頃６（図１参照）の面内に設けられている。収容ポケット１４は、図３で示すように裁断されたポケット布地１４０を用いて形成されている。
【００２４】
ポケット布地１４０は、第４図で示すように一枚ものを外布地１４０ａと内布地１４０ｂに下端辺で二つ折りしたものが用いられている。二つ折りの各上端辺１４１は、袖３のアームホールに沿う脇下縁３ｃに共縫いするよう略Ｕ字状に裁断されている。
【００２５】
そのポケット布地１４０を用いては、横方向の切り込みを脇身頃６と外布地１４０ａの整合位置にポケット口と略相応する長さ分設けることにより、ポケット口を除いて脇身頃６の内側に位置する重量物の収容ポケット１４が設けられている。ポケット口を除き、重量物の収容ポケット１４を脇身頃６の内側に配置することにより体裁を良好に保てる。
【００２６】
切込みによる下脇身頃６ａと外布地１４０ａの上端辺は、当て布１４２を被せて二枚重ねにすると共に、切り込みの両端部を含む三者を縫い目線１４３に沿って糸縫いすることによりポケット口が設けられている。上脇身頃６ｂと外布地１４０ｃの下端辺は、上脇身頃６ｂの下端辺を外布地１４０ｃの下端辺に巻き込むと共に、縫い目線１４５に沿って糸縫いされている。収容ポケット１４の左右側辺と底辺は、外布地１４０ａと内布地１４０ｂを縫い目線１４４に沿って糸縫いすることによりポケット体として形成されている。
【００２７】
上述した縫着構造から、重量物の収容ポケット１４はポケット口を前身頃寄りの上向きで脇身頃６の面内に設けられている。これにより、重量物を収容ポケットに収めて所持しても、小さなショルダーバッグを肩に掛けたときと同様な重量物の荷重を鎖骨の上腕寄りで受けられるため、携帯電話機やスマートフォンのような重量物をポケット内に入れて長時間保持しても、肩こり等の発生を防げる。
【００２８】
それに加えて、ポケット口を前身頃寄りの上向きで脇身頃の面内に設けた重量物の収容ポケット１４により、着衣者が前屈みになっても、脇身頃６が前方向に大きく撓まない（姿勢変え）ため、重量物がポケットより脱落するのを確実に防げる。
【００２９】
重量物を収容ポケット１４は、ポケット口よりポケット全体が脇身頃６の縦方向に対して前倒しの斜めに傾ける（図１、図３参照）ことにより脇身頃６の面内に設けられている。この収容ポケット１４によると、重量物を斜め姿勢でポケット内に収容できるから、重量物の荷重を効果的に分散乃至は拡散できると共に、重量物の出し入れを容易に行える。その荷重の分散乃至は拡散範囲を更に広げるため、ポケット口の縫い目線１４３から延長させて、縫い目線１４６（図３参照）をポケット布地１４０の面内に設けるとよい。
【００３０】
上述した実施の形態は、医療分野向けのユニフォームとして説明したが、スーパーマーケットや飲食店等のユニフォームとしても適用できる。袖３，４は半袖で例示したが、長袖であってもよい。右利き，左利きを考慮し、重量物の収容ポケット１４を左脇身頃７の面内に設けるようにもできる。
【符号の説明】
【００３１】
１              前身頃
２              後身頃
３，４          袖
３ｃ            脇下縁
６              脇身頃
１４            重量物の収容ポケット
【図１】
2014132129.tif 000003
【図２】
2014132129.tif 000004
【図３】
2014132129.tif 000005
【図４】
2014132129.tif 000006